(57)【要約】【課題】袋の脱気性に優れ、且つ外部からの害虫等の侵入および水の浸透を防止することができる穀類の包装に適した通気性袋を提供することである。【解決手段】基材層と熱接着性樹脂層を有する積層フイルムからなり周縁熱接着部により形成された袋であって、少なくとも１箇所の周縁熱接着部が非熱接着部と熱接着部からなる通気性熱接着部とされ、通気性熱接着部の外側に所定幅を有する積層フィルムの延出部を形成し、通気性熱接着部の外端に隣接する非熱接着部の外側の延出部において一方の積層フィルムに内面側に突出する１個ないしは複数個の点状突起が形成された構成の通気性袋である。【選択図】　　　　図１
2004010142.tif 000002
【特許請求の範囲】
【請求項１】
基材層と熱接着性樹脂層を有する積層フイルムからなり周縁熱接着部により形成された袋であって、少なくとも１箇所の前記周縁熱接着部が非熱接着部と熱接着部からなる通気性熱接着部とされ、前記通気性熱接着部の外側に所定幅を有する積層フィルムの延出部を形成し、前記通気性熱接着部の外端に隣接させて前記非熱接着部の外側の前記延出部における一方の積層フィルムに内面側に突出する１個ないしは複数個の点状突起が形成された構成からなることを特徴とする通気性袋。
【請求項２】
前記点状突起が、直径が１．５〜４．０ｍｍで、高さが０．１〜０．８ｍｍであることを特徴とする請求項１記載の通気性袋。
【請求項３】
前記延出部の幅が７〜１５ｍｍであることを特徴とする請求項１または２に記載の通気性袋。
【請求項４】
前記点状突起が円筒状突起を有する雄型と円筒状孔を有する雌型を使用したエンボスにより形成されたものであることを特徴とする請求項１〜３のいずれかに記載の通気性袋。
【発明の詳細な説明】
【０００１】
【発明の属する技術分野】
本発明は、脱気性が優れ、且つ外部からの害虫等の侵入を防止でき水濡れした場合でも水分が袋内に浸透してくるのを防止できる通気性袋に関する。
【０００２】
【従来の技術】
従来、米袋等として使用する通気性袋としては、４角形状の２枚の熱接着性を有する積層フィルムを重ね合わせて、対向する２辺に熱接着部と非熱接着部からなる通気性熱接着部を形成し、形成された通気性熱接着部の非熱接着部から袋の内部の空気を排出させて脱気させるようにした構成の袋が知られている。しかしながら、この構成の袋の場合、非熱接着部の長さを大きくすると脱気性はよくなるが内部に収納した米等の内容物が漏れ出すという問題が出るし、非熱接着部の長さを小さくすると脱気性が悪くなるという欠点を有している。また、非熱接着部を通して害虫等が袋内に侵入したり水濡れした際に水分が袋内に浸透してくるという欠点を有している。
【０００３】
上記の欠点を改良した包装用袋としては、例えば、特許第２９６８２２９号に記載されているような、少なくとも内面が熱可塑性樹脂フィルム製の包装袋の、融着シール部の一部を未融着で残すことにより、通気部を形成し、この通気部では両面のフィルム長に差を持たせて、穀物が漏れない大きさの孔を形成した構成の穀物包装袋が知られている。しかしながら、この構成の穀物包装袋では、未融着で残して形成した通気部に孔が形成されているので、脱気性は良くなるにしても、通気部に形成された孔から、内部に収納される穀物が漏れ出したり、外部から害虫等が袋内に侵入したり水濡れした際に水分が袋内に浸透してくるという欠点を有している。
【０００４】
【発明が解決しようとする課題】
本発明の目的は、内容物を充填する際に袋内に封入された空気を容易に脱気でき、且つ外部からの害虫等の侵入および水の浸透を防止することができる米等を包装するのに適した通気性袋を提供することである。
【０００５】
【課題を解決するための手段】
基材層と熱接着性樹脂層を有する積層フイルムからなり周縁熱接着部により形成された袋であって、少なくとも１箇所の周縁熱接着部が非熱接着部と熱接着部からなる通気性熱接着部とされ、通気性熱接着部の外側に所定幅を有する積層フィルムの延出部を形成し、通気性熱接着部の外端に隣接する非熱接着部の外側の延出部において一方の積層フィルムに内面側に突出する１個ないしは複数個の点状突起が形成された構成とすることにより、非熱接着部の外側近傍の延出部にて表裏２枚の積層フィルム間に点状突起の高さに相当する隙間が形成されるので、内容物を充填する際に袋の内部に封入された空気が非熱接着部を通り抜けて脱気し易くなって脱気性がよくなるものである。また、通気性熱接着部の外側に所定幅を有する延出部が形成されているので、外部からの害虫等の侵入及び水の浸透を防止することができる。
【０００６】
上記の通気性袋において、点状突起が直径が１．５〜４．０ｍｍであり、高さが０．１〜０．８ｍｍである構成とすることにより、非熱接着部の外側近傍の延出部において点状突起により２枚の積層フィルム間に点状突起の高さに相当する隙間を確実に形成することができる。
【０００７】
上記の通気性袋において、前記延出部の幅が７〜１５ｍｍである構成とすることにより、延出部における非熱接着部の外側に隣接して点状突起を形成した場合でも、包装袋の外周端部にて表裏２枚の積層フィルムが密着した状態となるので、外部から害虫等が侵入及び水の浸透を防止することができる。
【０００８】
上記の通気性袋において、点状突起が円筒状突起からなる雄型と円筒状孔からなる雌型を使用したエンボスにより形成された構成とすることにより、積層フィルムに保形性に優れるとともに形状の安定したシャープに突出する点状突起を形成できるので、２枚の積層フィルム間に点状突起の高さに相当する隙間を確実に形成することができる。
【０００９】
【発明の実施の形態】
以下、図面を引用して本発明の実施の形態を説明する。
図１は本発明の第１実施形態を示す平面図、図２は図１におけるＩ−Ｉ拡大断面図、図３は本発明の第２実施形態を示す平面図、図４は本発明の第３実施形態を示す平面図、図５は積層フィルムに点状突起を形成する方法を示す断面図であり、２は周縁熱接着部、３は通気性熱接着部、３ａは熱接着部、３ｂは非熱接着部、４は延出部、５，５’は点状突起、６は雄型、６ａは円筒状突起、７は雌型、７ａは円筒状孔、１１，１２は積層フィルムをそれぞれ表す。
【００１０】
本発明の通気性袋の第１実施形態は図１、図２に示すとおりである。平面形状は、図１に示すように、基材層と熱接着性樹脂層を有する４角形状の表裏２枚の積層フィルム１１，１２の熱接着性樹脂層面を重ね合わせて、対向する長辺からなる２辺に周縁熱接着部２が形成され、対向する短辺の一方に熱接着部３ａと非熱接着部３ｂからなる通気性熱接着部３が形成され、通気性熱接着部３の外側に所定巾を有する積層フィルム１１，１２の延出部４が形成され、通気性熱接着部３の非熱接着部３ｂの外端に隣接する延出部４において一方の積層フィルム１１に内面側に突出する複数個の点状突起５が形成されている構成である。
【００１１】
第１実施形態の点状突起５が形成された箇所の延出部４における通気性熱接着部３の長手方向と直交方向の断面形状は、図２に示すとおりであり、内面側に突出する点状突起５が形成された積層フィルム１１と点状突起５が形成されていない積層フィルム１２とが重ね合わせられた状態となって、延出部４の非熱接着部３ｂの近傍において表裏２枚の積層フィルム１１，　１２間に積層フィルム１１に形成された内面側に突出する点状突起５により点状突起５の高さに相当する隙間が形成され、延出部４の通気性袋の外端部において表裏２枚の積層フィルム１１，　１２が密着した状態となって点状突起５により形成される隙間を塞いでいる。
【００１２】
第１実施形態の通気性袋では、通気性熱接着部３の非熱接着部３ｂの外端に隣接する延出部４において一方の積層フィルム１１に内面側に突出する複数個の点状突起５が形成されて、表裏２枚の積層フィルム１１，　１２間に点状突起５の高さに相当する隙間が形成されているので、通気性袋の内部の空気は通気性熱接着部３の非熱接着部３ｂを通って外部に排出されやすくなり優れた脱気性が得られる。また、通気性袋の周縁となる延出部４の外端部において表裏２枚の積層フィルム１１，　１２が密着した状態となって点状突起５により形成される隙間を塞いでいるので、外部からの害虫等の侵入を防止することができるとともに、水濡れした場合でも水が袋の内部に浸透してくるのを防止することができる。
【００１３】
本発明の通気性袋の第２実施形態の平面図は図３に示すとおりである。第１実施形態と比較して、非熱接着部３ｂの外側近傍において延出部４にやや大きい１個の点状突起５’が形成された構成とされている点で異なる以外は基本的には同じ構成であり、第２実施形態の通気性袋においても第１実施形態と同様の効果が得られるものである。また、第２実施形態では、非熱接着部３ｂの外側近傍に１個の点状突起５’が形成された構成であるので、点状突起５’を形成する工程の作業性が良くなる。
【００１４】
本発明の通気性袋の第３実施形態の平面形状は、図４に示すように、基材層と熱接着性樹脂層を有する４角形状の表裏２枚の積層フィルム１１，１２の熱接着性樹脂層面を重ね合わせて、対向する短辺の一方に周縁熱接着部２が形成され、対向する長辺からなる２辺に熱接着部３ａと非熱接着部３ｂからなる通気性熱接着部３が形成され、通気性熱接着部３の外側に所定巾を有する積層フィルム１１，１２の延出部４が形成され、通気性熱接着部３の外端の非熱接着部３ｂの外側に隣接する延出部４において一方の積層フィルム１１に内面側に突出する複数個の点状突起５が形成されている構成である。第３実施形態においても、第１、第２実施形態と同様に優れた脱気性が得られるとともに、外部からの害虫等の侵入を防止することができ、且つ水濡れした場合でも水が袋の内部に浸透してくるのを防止することができる。
【００１５】
第１〜第３実施形態において、積層フィルム１１に形成する点状突起の形状としては、直径が１．５〜４．０ｍｍ、高さが０．１〜０．８ｍｍとされるものである。点状突起５の直径を４．０ｍｍより大きくすると、シヤープな点状突起５を形成し難くなるとともに点状突起５の保形性が悪くなって、２枚の積層フィルム間に確実に隙間を形成するのが困難となり、逆に、点状突起５の直径が１．５ｍｍより小さくなるとシヤープな点状突起４の形成が困難となる。点状突起５の高さが０．１〜０．８ｍｍとされているので、２枚の積層フィルム間に点状突起５の高さに対応した隙間を確実に形成することができる。複数個の点状突起を形成する場合は、上記の範囲内で、比較的直径の小さい点状突起とし、１個の点状突起を形成する場合は比較的直径の大きい点状突起とするこが好ましい。熱接着部３ａの形状は幅を３〜５ｍｍとし端縁を半円形状の角丸とし、隣接する熱接着部３ａ間の間隔、即ち非熱接着部３ｂの長さは３．０〜７．０ｍｍとするのが好ましい。非熱接着部３ｂの外側に点状突起４を形成した場合でも延出部の外端部にて表裏２枚の積層フィルムが密着した状態を保てるようにするため、延出部の幅は７〜１５ｍｍとするのが好ましい。
【００１６】
積層フィルム１１に点状突起４を形成するには、図５に示すような、先端が丸い円筒状突起６ａを有する雄型６と円筒状孔７ａを有する雌型７を使用し、雄型６と雌型７間に積層フィルム１１を載置して加圧しエンボスを行うことにより、保形性の優れたシヤープな形状を有する点状突起４が形成された積層フィルム１１を作製することができる。雄型６と雌型７を使用したエンボスは常温で行うのが好ましくエンボス工程の効率をよくすることができる。
【００１７】
積層フイルム１１，１２を構成する基材層としては、強度的に優れた２軸延伸ポリエチレンテレフタレート（ＰＥＴ）、２軸延伸ナイロン（ＯＮ）、金属蒸着２軸延伸ポリエチレンテレフタレート（ＶＭＰＥＴ）等の２軸延伸フィルム、線状低密度ポリエチレン（ＬＬＤＰＥ）等が使用できる。熱接着性樹脂層としては、低密度ポリエチレン（ＬＤＰＥ）、線状低密度ポリエチレン（ＬＬＤＰＥ）、エチレン−酢酸ビニル共重合体（ＥＶＡ）等が使用できる。基材層と熱接着性樹脂層は、ウレタン系接着剤を使用したドライラミネーション（ＤＬ）、ポリエチレン等による押出しラミネーション（ＥＣ）により積層される。本発明の通気性袋は米等を包装するのに使用されるので、強度的に優れた袋であることが必要であり、熱接着性樹脂層を構成する樹脂として線状低密度ポリエチレンを使用するのが好ましい。基材層としてＶＭＰＥＴを使用することにより意匠性の優れた通気性袋とすることができる。
【００１８】
積層フィルムの構成としては、例えば、ＯＮ１５μｍ／ＤＬ／ＬＬＤＰＥ５０〜６０μｍ、ＯＮ１５μｍ／ＥＣ１５〜２５μｍ／ＬＬＤＰＥ３０〜７０μｍ、ＰＥＴ１２μｍ／ＥＣ１５〜２５μｍ／ＬＬＤＰＥ４０〜６０μｍ、ＬＬＤＰＥ３０〜４０μｍ／ＤＬ／ＬＬＤＰＥ４０〜５０μｍ、ＬＬＤＰＥ６０μｍ／ＥＣ２５μｍ、ＯＮ１５μｍ／ＤＬ／ＶＭＰＥＴ１２μｍ／ＤＬ／ＬＬＤＰＥ４０〜６０μｍ、ＯＮ１５μｍ／ＤＬ／ＶＭＰＥＴ１２μｍ／ＥＣ１５〜２５μｍ／ＬＬＤＰＥ３０〜６０μｍ、ＰＥＴ１２μｍ／ＤＬ／ＶＭＰＥＴ１２μｍ／ＥＣ１５〜２５μｍ／ＬＬＤＰＥ４０〜６０μｍ等である。
【００１９】
【発明の効果】
基材層と熱接着性樹脂層を有する積層フイルムからなり周縁熱接着部により形成された袋であって、少なくとも１箇所の周縁熱接着部が非熱接着部と熱接着部からなる通気性熱接着部とされ、通気性熱接着部の外側に幅が７〜１５ｍｍの積層フィルムの延出部を形成し、通気性熱接着部の外端に隣接する非熱接着部の外側近傍の延出部において一方の積層フィルムに内面側に突出する１個ないしは複数個の、直径が１．５〜４．０ｍｍであり、高さが０．１〜０．８ｍｍである点状突起が形成された構成とすることにより、非熱接着部の外側の延出部にて表裏２枚の積層フィルム間に点状突起の高さに相当する隙間が形成されるので、内容物を充填する際に袋の内部に封入された空気が非熱接着部を通り抜けて脱気し易くなって脱気性がよくなるものである。また、通気性熱接着部の外側に所定幅を有する延出部が形成されているので、外部からの害虫等の侵入及び水の浸透を防止することができる。
【図面の簡単な説明】
【図１】本発明の第１実施形態を示す平面図。
【図２】図１におけるＩ−Ｉ拡大断面図。
【図３】本発明の第２実施形態を示す平面図。
【図４】本発明の第３実施形態を示す平面図。
【図５】積層フィルムに点状突起を形成する方法を示す断面図
【符号の説明】
２　周縁熱接着部
３　通気性熱接着部
３ａ　熱接着部
３ｂ　非熱接着部
４　延出部
５，５’　点状突起
６　雄型
６ａ　円筒状突起
７　雌型
７ａ　円筒状孔
１１，１２　積層フィルム
【図１】
2004010142.tif 000003
【図２】
2004010142.tif 000004
【図３】
2004010142.tif 000005
【図４】
2004010142.tif 000006
【図５】
2004010142.tif 000007